(57)【要約】【課題】  両開き式扉のある観音扉式冷蔵庫において、従来、冷蔵庫に物品の出し入れを行なう際、一度に開閉できる扉は第一扉または第二扉のいずれか一方であり、幅の広い冷蔵庫であっても、一度に出し入れできる物品の幅は冷蔵庫本体の略半分の幅の物である。  本発明はかかる従来の問題点を解決することを課題とする。【解決手段】  外側がヒンジにより冷蔵庫に軸支持されている一対の扉をなす第一扉と第二扉を有し、第一扉及び第二扉には、扉を支持する軸を中心とする歯車を有し、前記歯車と噛み合い回転する歯車を有し、前記歯車は他方の扉の歯車と噛み合う。上記の構成によれば、歯車は扉の開閉に追従し回転動作する。すなわち、第一扉を使用者が開閉動作を行なう時、それに追従し第二扉が開閉動作をする。また、第二扉を使用者が開閉動作を行なう時、それに追従し第一扉が開閉動作をする。【選択図】  図２
2005133994.tif 000002
【特許請求の範囲】
【請求項１】
正面開口部を有する冷蔵庫本体と、同冷蔵庫本体の左右の各側縁部に他端部を前後方向へ回動自在に組みつけられて、同冷蔵庫本体の正面開口部を開閉自在に閉止する観音開き式の第一扉と第二扉とを設け、前記第一扉を開状態から閉止動作時に閉止状態の第二扉へ向かう方向に回転して前記第一扉と前記第二扉との隙間を塞ぐとともに、前記第一扉を閉状態から開動作時には、開動作に伴なって閉状態の前記第二扉から離間する方向に回転する回転遮閉体を、前記第一扉の内面に回動自在に設けてなる観音開き式冷蔵庫において、第一扉または第二扉の開閉力を、扉体に設けられた内歯車、内歯車に従動する歯車、中間歯車により、他方の扉に伝達し、一方の扉を開閉動作した時に、他方の扉も追従し開閉動作することを特徴とする、冷蔵庫の観音開き扉。
【発明の詳細な説明】
【技術分野】
【０００１】
本発明は左右に二つの扉を有し両開きが出来るすなわち観音開き式の扉を有する冷蔵庫に関するものである。
【背景技術】
【０００２】
大型の冷蔵庫、特に幅広の冷蔵庫においては、実使用に必要な面積を小さくすることを目的に、冷蔵庫扉を冷蔵庫本体の略半分で左右に分割し観音開き式扉を採用している。また、この観音開き式扉には、左右どちらの扉からでも優先順位をつけず開閉する構成のものが知られている(例えば、特許文献１参照)。その構成の概略を示すと図５、図６、図７の通りである。
【０００３】
第一扉４１を開いた状態において回転遮閉体３１は収納部材３２内に収納しておく。次に第一扉４１を閉じていくと、回転遮閉体３１の係合部３１Ａが案内溝３３の第一扉４１側の入り口から案内溝３３内に進入し、次に突提３４の曲面３４Ａに隅部が当接し、それに案内されて回動される。
【０００４】
これによって回転遮閉体３１は反時計回りに回動される。そして回転遮閉体３１前面は開口３５と略面一となり、第一扉４１、第二扉４２のガスケット３６の着磁面を構成し、これによって開口３５は密閉される。
【０００５】
また、第一扉４１を開けば、回転遮閉体３１は突部３７の曲面３７Ａに沿って時計回りに回動し、収納部材３２内に収納される。
【０００６】
【特許文献１】実開昭６２−６３６９２号公報（第２頁、第１、第２、第５図）
【発明の開示】
【発明が解決しようとする課題】
【０００７】
しかしながら、前記する従来の構成では、片手で一度の操作で開閉できる扉は左右いずれか一方の扉で、他方の扉は別途開閉する必要がある。第一扉を開動作しても、第二扉は閉状態のままであり、第二扉が邪魔で開口部の略半幅より大きい貯蔵物を出し入れすることは出来ない。すなわち、冷蔵庫幅の略半分以上の幅を有する物を出し入れする際には、貯蔵物を一旦別の場所に放置し両方の扉を開状態にし、放置した貯蔵物を出し入れする必要があった。すなわち、従来の観音開き扉式冷蔵庫では観音扉よりも幅の広い貯蔵物を出し入れする際に一度の開閉操作では出し入れできないという問題があった。
【０００８】
本発明はかかる従来の問題点を解決することを課題とするものである。
【課題を解決するための手段】
【０００９】
前記する目的を達成する為に、請求項１記載に係る発明は、外側がヒンジにより冷蔵庫に軸支持されている一対の扉をなす第一扉と第二扉を有し、第一扉及び第二扉には、扉を支持する軸を中心とする歯車を有し、前記歯車と噛み合い回転する歯車を有し、前記歯車は他方の扉の歯車と噛み合う。上記の構成によれば、歯車は扉の開閉に追従し回転動作する。すなわち、第一扉を使用者が開閉動作を行なう時、それに追従し第二扉が開閉動作をする。また、第二扉を使用者が開閉動作を行なう時、それに追従し第一扉が開閉動作をする。
【発明の効果】
【００１０】
本発明によれば第一扉または第二扉の開閉操作時に、その動作に追従して他方の扉（第二扉または第一扉）も開閉動作を行ない、幅の広い貯蔵物を出し入れする再に、他方の扉が邪魔となり貯蔵物を一旦別の場所に放置する必要は無く、冷蔵庫本体の開口全幅の貯蔵物出し入れを一度の動作で行なうことができ、取扱いが便利な冷蔵庫を提供することができる。
【発明を実施するための最良の形態】
【００１１】
以下本発明の実施例を添付の図面を参照しつつ説明する。図１は本発明の一実施例における扉閉時の平面断面図である。図２及び図３は本発明の一実施例における扉開途中の平面断面図。図４は本発明の一実施例における扉開時の平面断面図である。この一対の扉をなす第一扉１０と第二扉２０は、それぞれ外側がヒンジ１１及び２１により冷蔵庫本体１に軸支持されている。前記、第一扉１０の開放端側には、第二扉２０側へ進退する様に回動する回転遮閉体３が取り付けてある。この回転遮閉体３は第一扉１０の開閉に合わせ冷蔵庫本体１の近傍で回転遮閉体軸２を中心に回転動作し、冷蔵庫の開口部における第一扉１０及び第二扉２０の隙間を塞ぐ働きをする。
【００１２】
第一扉１０は、開閉に合わせヒンジ１１を中心として回動する内歯車１２を有し、冷蔵庫本体１は内歯車ガイド１３を有し、確実に内歯車１２をヒンジ１１を中心に回動させている。また、内歯車１２は歯車１４を従動させ、歯車１４と歯車１５、歯車１５と歯車１６、歯車１６と歯車１７はそれぞれ噛み合っている。
【００１３】
第二扉２０は、開閉に合わせヒンジ２１を中心として回動する内歯車２２を有し、冷蔵庫本体１は内歯車ガイド２３を有し、確実に内歯車２２をヒンジ２１を中心に回動させている。また、内歯車２２は歯車２４を従動させ、歯車２４と歯車２５、歯車２５と歯車２６、歯車２６と歯車２７はそれぞれ噛み合っている。また歯車２７は前記歯車１７とも噛み合っている。
【００１４】
前記内歯車１２及び２２は、それぞれ厚さ方向に１２ａ、１２ｂ、１２ｃ（２２ａ、２２ｂ、２２ｃ）と重なって構成されている。最上段の内歯車１２ａ（２２ａ）及び２段目の内歯車１２ｂ（２２ｂ）はガイド溝１８ａ及びガイド溝１８ｂ（２８ａ及び２８ｂ）を有し、２段目の内歯車１２ｂ（２２ｂ）及び最下段の内歯車１２ｃ（２２ｃ）はガイドピン１９ｂ及び１９ｃ（２９ｂ及び２９ｃ）が設けられている。前記ガイド溝１８ａ、１８ｂ（２８ａ、２８ｂ）の量終端部はバネ製を有した構造を有しており、ガイドピン１９ｂ、１９ｃ（２９ｂ、２９ｃ）を着脱可能に保持することができ、量終端部以外の部分では前記ガイドピン１９ｂ、１９ｃ（２９ｂ、２９ｃ）は自由に周動することができる。
【００１５】
以上の構成によれば、第一扉１０を開動作すると、内歯車１２ａはヒンジ１１を中心に時計回り方向に回動し、内歯車１２ａのガイド溝１８ａに内歯車１２ｂのガイドピン１９ｂが接し、歯車１４を従動させる。歯車１４の回転は歯車１５及び１６を介し歯車１７を回動する。歯車１７の回動は歯車２７を回動させ、歯車２６及び歯車２５を介し歯車２４を回動する、歯車２４の回転は内歯車２２ａ、２２ｂ及び２２ｃをヒンジ２１を中心に回動させ、第二扉２０を開動作する。
【００１６】
このとき、ガイド溝１８の終端部によりガイドピン１９が保持され第一扉１０は完全に開く位置まで歯車１４を回転させ、第二扉の歯車群に回転力を伝達する。歯車２４の回転により内歯車２２ａを回動させ、内歯車の終端部まで回転した時には、ガイド溝２８ａの終端部にてガイドピン２９ｂが保持され、２２ｂが回動し始め歯車２４と噛み合い、第二扉の開放力を伝達する、同様に２２ｃが回動し第二扉を完全に開く位置まで開放する。
【００１７】
また、第一扉１０を閉動作するときは、ガイド溝１８ａ及びガイド溝１８ｂの終端部によりガイドピン１９ｂ及びガイドピン１９ｃが保持されており内歯車１２ｃ及び内歯車１２ｂに反時計回り方向に回転力が生じ、歯車１４を従動する。内歯車１２ｂ及び内歯車１２ｃは、それぞれの終端部では、それ以上回動できなくなるとガイドピン１９ｂ及びガイドピン１９ｃは、ガイド溝１８ａ及びガイド溝１８ｂの終端の保持部分から開放され順次冷蔵庫内部に収納され、第一扉１０は閉状態にすることができる。このとき、歯車１４の回転は中間歯車及び第二扉２０の歯車群を介し、歯車２４を回転させる、前記歯車２４の回転は内歯車２２ｃに伝達され第二扉２０の扉閉力となる。内歯車２２ｃが冷蔵庫内部に完全に収納される時、ガイドピン２９ｃはガイド溝２８ｂの保持部分から脱し自由周動部分へと移動し、歯車２４の回転は内歯車２２ｂに伝達され第二扉２０を閉じる力となる。同様にして、歯車２４の回転は内歯車２２ａに伝達され、第二扉２０を完全に閉じることができる。
【００１８】
以上の第一扉１０の開閉操作により第二扉２０が追従して開閉することを説明したが、第二扉２０の開閉操作により第一扉が追従することは言うまでもない。
【図面の簡単な説明】
【００１９】
【図１】本発明の一実施例における扉閉時の平面断面図。
【図２】本発明の一実施例における扉開途中の平面断面図（その1）。
【図３】本発明の一実施例における扉開途中の平面断面図（その２）。
【図４】本発明の一実施例における扉全開時の平面断面図。
【図５】従来例の冷蔵庫のシール柱を備えた扉の斜視図。
【図６】従来例の冷蔵庫の開口部分を示す斜視図。
【図７】従来例の冷蔵庫の扉部分を示す断面図。
【符号の説明】
【００２０】
１…冷蔵庫本体、２…回転遮閉体ヒンジ、３…回転遮閉体、１０…第一扉、２０…第二扉、１１…ヒンジ（第一扉側）、２１…ヒンジ（第二扉側）、１２…内歯車（第一扉側）、２２…内歯車（第二扉側）、１３…ガイド（第一扉側）、２３…ガイド（第二扉側）、１４…歯車（第一扉側）、２４…歯車（第二扉側）、１５…中間歯車（第一扉側）、２５…中間歯車（第二扉側）、１６…中間歯車（第一扉側）、２６…中間歯車（第二扉側）、１７…連結歯車（第一扉側）、２７…連結歯車（第二扉側）、１８…内歯車ガイド溝、２８…内歯車ガイド溝、１９…内歯車ガイドピン、２９…内歯車ガイドピン。
【図１】
2005133994.tif 000003
【図２】
2005133994.tif 000004
【図３】
2005133994.tif 000005
【図４】
2005133994.tif 000006
【図５】
2005133994.tif 000007
【図６】
2005133994.tif 000008
【図７】
2005133994.tif 000009